(57)【特許請求の範囲】
【請求項１】
故紙を主原料にして長尺シートを成形し、該長尺シートの長手方向に沿って所要の大きさの孔を無数列設し、一方、水溶性フィルムシートにより長尺の扁平筒体を成形し、該扁平筒体内には前記各孔の位置に合わせて種籾を封入すると共に、これら各種籾間に肥料を区画して封入し、該扁平筒体を前記各種籾が前記各孔の位置に合致するようにして長尺シートの裏面に貼合したことを特徴とする水稲用育苗シート。
【発明の詳細な説明】
【０００１】
【発明の属する技術分野】
本発明は、水田の土壌の表面に敷設することにより、封入した種籾が発芽し、苗となり、さらにその苗がある程度成長した後は、自然に分解して土に還る水稲用育苗シートに関するものである。
【０００２】
【従来の技術】
従来の稲作は、例えば育苗箱内に種籾を蒔いて苗を育て、育った苗を５月か６月の田植えの時期に耕した水田に田植機または人力で植えている。また、苗が成長する過程にあっては、苗の成長を害する雑草を刈り取り、また必要に応じて肥料を加え、９月か１０月の収穫期に育った稲を刈り取るようにしている。
【０００３】
【発明が解決しようとする課題】
ところで、現在の日本の稲作農業は、いわゆる減反政策に伴い作付面積が抑えられ、専業農家としての経営規模に達しない小規模の兼業農家が多数見受けられる。このような兼業農家では投資効率の面から農機具等に対する設備投資もままならない。しかも、稲の育苗，田植え，除草，施肥といった多くの面倒で時間の掛かる作業を強いられる反面、農業への人手が不足することから、前記多くの作業を農業協同組合や請負業者に委託しており、経済的な負担が増大している。
【０００４】
一方、種々の出版物等の増加に伴い紙の消費が増大し、それに追随して必然的に使用後に故紙となる量も増加の途を辿っており、限りある天然資源の枯渇を救うべくこれらの故紙を再生紙の原料に使用するリサイクルも一部になされいるが、故紙を原料にすることがコスト高になることで使用される量が限られ、故紙の有効な用途開発が待望されている。
【０００５】
そこで、本発明は現在の稲作作業で育苗，田植え，除草，施肥等の一連の作業を簡素化してその労力と経費の軽減を図り、委託による稲作でも投資効率が向上し、同時に、故紙の有効活用が併せて達成でき、しかも経時的に自然に分解して土に還るエコロジカルな水稲用育苗シートを提供することを目的とするものである。
【０００６】
【課題を解決するための手段】
かかる目的を達成するため本発明に係る水稲用育苗シートは、故紙を主原料にして抄紙した長尺シートを成形し、該長尺シートの長手方向に沿って所要の大きさの孔を等間隔に無数列設し、一方、水溶性フィルムシートにより長尺の扁平筒体を成形し、該扁平筒体内に前記各孔の位置に合わせて種籾を封入すると共に、これら各種籾間に肥料を区画して封入し、該扁平筒体を前記各種籾が前記各孔の位置に合致するようにして長尺シートの裏面に貼合して構成される。
【０００７】
このように構成された本発明に係る水稲用育苗シートを整耕された水田の土壌の表面に時期を選んで敷設するこれにより、所要の日数経過することによって扁平筒体に封入された種籾が太陽光を受け自然に発芽・発根して苗に成育し、さらに稲草に成長する。その間の雑草は長尺シートで遮光することにより成長が抑えられ人手による除草や除草剤の施用が不要になる。さらに扁平筒体は一定の期間経てば水に溶け、その中に封入した肥料が適宜土壌中に滲透して施肥の手間が省略できる。
そして、時期はずれるが一定の期間経過すれば前記扁平筒体と長尺シートとが自然に分解して土に還るから、水稲用育苗シートは撤去することなく処分できる。
【０００８】
【発明の実施の形態】
以下、本発明に係る水稲用育苗シートの実施の形態を図面と共に説明する。図１は水稲用育苗シートの斜視図、図２は一部拡大平面図、図３は図２のＸ−Ｘ線断面図である。この水稲用育苗シートＳは再生紙からなる長尺シート１の裏面に細幅で長尺の扁平筒体２を貼合して構成される。すなわち前記長尺シート１は段ボール紙の故紙を抄紙し、または新聞紙の故紙約７０重量部と綿約３０重量部とを混合して抄紙した再生紙であって幅約９０〜１００ｃｍ、長さ約５００〜１０００ｍのものを図１に示すようにロール巻きして取り扱い易くしている。また、該長尺シート１は２〜２．５カ月で水により自然に分解されるようになっており、しかも太陽光を遮断しかつ太陽熱を蓄積し易いように比較的濃色系統の色が選ばれる。そして、この長尺シート１の幅方向に約３０ｃｍ隔てて直径約５〜８ｃｍの複数の円形状の孔３，３…を長手方向に沿って約１５〜２０ｃｍ間隔にて２列列設している。
【０００９】
一方、前記扁平筒体２はでんぷんと繊維とを主原料としこれに水溶性ＰＶＡを混合したものを材料にした水溶性かつ半透明なフィルムシートにより横幅約３〜５ｃｍの長尺に形成される。該扁平筒体２は透明であっても良く、この場合は、後記する種籾５に地ゅ直接太陽光が当り成育が早くなる。また、該扁平筒体２は水により２〜４週間で自然に分解して溶けるようになっている。そして、扁平筒体２には前記長尺シート１の長手方向に沿って列設した各孔３，３…の位置に合わせて区画室４を設け、該各区画室４内に数粒ずつの種籾５が封入される。さらに各区画室４間の中間室４ａに肥料６が適量封入されるが、この肥料６は無機質でも良いができれば有機質のものが好ましい。なお、前記各区画室４，中間室４ａ間の仕切７は熱融着により成形される。
【００１０】
このように種籾５及び肥料６を封入した２本の扁平筒体２，２を図１〜図３に示すように種籾５が各孔３，３…に合致するようにして長尺シート１の裏面に接着剤により貼合して長尺の水稲用育苗シートＳが構成される。なお、扁平筒体２は２本に限らず、複数の孔３，３…の列の数に合わせて、３本，４本または５本でも良い。
【００１１】
このように構成される水稲用育苗シートＳは所定の長さに切断され、４月頃図４に示すように整耕された水田の土壌Ｅの表面ほぼ全面に時期を選んで複数枚敷設して使用される。そして、所要の日数が経過すると扁平筒体２に封入した各種籾５が各孔３に臨んでいることから太陽光を受けて発芽・発根し扁平筒体２を破り、発芽した芽は長尺シート１の孔３から上方へ伸び、発根した根は土壌Ｅに侵入して５〜６月頃になると図５に示すように苗Ａに成長する。この時期になると各扁平筒体２，２は水に溶けてなくなり、封入していた各肥料６は土壌Ｅに滲透して土壌Ｅ中の苗Ａの根に吸収される。また、水田Ｆの土壌Ｅの表面はほぼ全面が長尺シート１に覆われていることから、水Ｗの保温性が良く苗Ａの生長を助け、反面、雑草が生えるのを防止できることから、除草したり、除草剤を撒布したりする手間が省ける。
【００１２】
そして、７〜８月頃になると各苗Ａが図６に示すように成長して稲Ｂとなり、穂が出てくるが、この頃には水田Ｆの土壌Ｅの表面ほぼ全面に敷設した各長尺シート１が経時的に自然に分解して土壌Ｅに混じり、遂には土に還ってしまうから、水稲用育苗シートＳは一々撤去する必要もなく始末ができる。このようにして成長した稲は９月〜１０月頃に刈り取られることとなる。
【００１３】
【発明の効果】
本発明に係る水稲用育苗シートは上記構成よりなるので、次のような効果を有する。
１．種籾や肥料が水稲用育苗シートに封入されており、該水稲用育苗シートを水田の土壌の上面に敷設するのみで済み、従来の稲の育苗，田植えといった面倒で時間の掛かる作業が極めて簡素化でき労力と経費の軽減が図られ、委託による稲作でも投資効率が向上する。
２．長尺シートで水田の土壌の上面が覆われるので、太陽光を遮断して雑草が生えにくくなり雑草を刈る手間が省ける。しかも、除草剤が不要となることからこれを使用することにより人体への悪影響を考慮する必要がない。
３．長尺シートを比較的濃色系統の色にすれば、保温性に優れ苗の育成に好影響を与える。
４．扁平筒体に肥料を封入するようにしたので、苗が成長する過程での施肥が省ける。
５．長尺シートも扁平筒体と同じく一定の期間を経過すると自然に分解して土壌に還るので、水稲用育苗シートを後で撤去する必要がなく楽である。
６．長尺シートは故紙を主原料としているので、故紙の有効活用が図られると共に用途開発にも寄与し、天然資源のリサイクルの効率化に貢献できる。
７．段ボール紙により長尺シートを成形し、また、でんぷんと繊維と水溶性ＰＶＡとにより扁平筒体を成形するようにすれば、いずれも分解して土壌に還り廃物として残らないのでエコロジーの面で有益な効果を有する。
【図面の簡単な説明】
【図１】本発明に係る水稲用育苗シートの斜視図。
【図２】図１の一部拡大平面図。
【図３】図２のＸ−Ｘ線断面図。
【図４】水田に水稲用育苗シートを敷設した使用状態の平面図。
【図５】５〜６月頃の同使用状態の要部断面図。
【図６】７〜８月頃の同使用状態の要部断面図。
【符号の説明】
１        長尺シート
２        扁平筒体
３        孔
５        種籾
６        肥料
【図１】
0003857804.tif 000002
【図２】
0003857804.tif 000003
【図３】
0003857804.tif 000004
【図４】
0003857804.tif 000005
【図５】
0003857804.tif 000006
【図６】
0003857804.tif 000007